(57)【要約】【課題】効果的なダイエットを継続して行うことができるダイエット支援システムを提供する。【解決手段】ダイエット支援システム１は、血液中または間質液中のグルコース濃度を継続的に測定可能なセンサ２と、センサ２と通信可能な携帯端末３とを備える。携帯端末３は、センサ２から所定のタイミングでグルコース濃度を取得するデータ取得手段３１と、グルコース濃度の積算値を算出する積算手段３２と、積算値が所定のしきい値を超えた場合に、糖質の摂取を抑えるべき旨の警告を報知する報知手段３３とを有する。【選択図】図２
2018190250.tif 000002
【特許請求の範囲】
【請求項１】
血液中または間質液中のグルコース濃度を継続的に測定可能なセンサと、
前記センサと通信可能な携帯端末とを備えるダイエット支援システムであって、
前記携帯端末は、
前記センサから所定のタイミングで前記グルコース濃度を取得するデータ取得手段と、
前記グルコース濃度の積算値を算出する積算手段と、
前記積算値が所定のしきい値を超えた場合に、糖質の摂取を抑えるべき旨の警告を報知する報知手段とを有することを特徴とするダイエット支援システム。
【請求項２】
前記携帯端末は、
前記積算値を、１日のうちの所定の時刻にリセットするリセット手段を有することを特徴とする請求項１に記載のダイエット支援システム。
【請求項３】
前記積算手段は、前記センサから取得したグルコース濃度Ｃから、所定の値Ｃ１を引いた値Ｃ−Ｃ１を積算していくことを特徴とする請求項１または請求項２に記載のダイエット支援システム。
【請求項４】
前記積算手段は、グルコース濃度Ｃの履歴に基づいて前記所定の値Ｃ１を決定することを特徴とする請求項３に記載のダイエット支援システム。
【請求項５】
前記積算手段は、前記グルコース濃度Ｃの変化勾配が所定勾配以下の期間の当該グルコース濃度Ｃの平均値に基づいて前記所定の値Ｃ１を決定することを特徴とする請求項４に記載のダイエット支援システム。
【請求項６】
前記報知手段は、前記グルコース濃度が上昇中である場合には、前記しきい値を減少させるように補正し、または、前記積算値を増加させるように補正することを特徴とする請求項１から請求項５のいずれか１項に記載のダイエット支援システム。
【請求項７】
前記報知手段は、前記グルコース濃度が所定の勾配以上で上昇中である場合には、前記しきい値を減少させるように補正し、または、前記積算値を増加させるように補正することを特徴とする請求項６に記載のダイエット支援システム。
【請求項８】
前記報知手段は、前記警告を報知した後、所定時間経過後に前記警告を再度報知することを特徴とする請求項１から請求項７のいずれか１項に記載のダイエット支援システム。
【請求項９】
前記報知手段は、前記警告を報知した後、前記積算値が、前記しきい値よりも大きな第２のしきい値を超えた場合に、前記警告を再度報知することを特徴とする請求項１から請求項７のいずれか１項に記載のダイエット支援システム。
【請求項１０】
前記警告は、次回の食事において糖質制限用の代替食品を摂取するべきことを含むことを特徴とする請求項１から請求項９のいずれか１項に記載のダイエット支援システム。
【請求項１１】
音声を発生可能なロボットをさらに備え、
前記報知手段は、前記ロボットに音声によって前記警告を報知させることを特徴とする請求項１から請求項１０のいずれか１項に記載のダイエット支援システム。
【発明の詳細な説明】
【技術分野】
【０００１】
本発明は、ダイエットを行う人を支援するダイエット支援システムに関する。
【背景技術】
【０００２】
ダイエットを行う人を支援するシステムとして、例えば、特許文献１には、血糖値などの生体情報や、目標体重などのダイエット目標などに基づき、トレーニングマシンに、目標として消費するカロリーに見合った運動負荷を設定するものが開示されている。
【先行技術文献】
【特許文献】
【０００３】
【特許文献１】特開２０１４−０７４９７６号公報
【発明の概要】
【発明が解決しようとする課題】
【０００４】
ところで、近年、糖質の摂取量をコントロールすることで、体脂肪の分解を促し、ダイエットに繋げる方法が知られるようになっている。しかしながら、ダイエットは、食欲との闘いであり、もともと長続きしにくい上、さらに、糖質の摂取量をコントロールしようとすると、摂取した糖質の量を把握するために食事などに含まれる糖質の量をいちいち計算するといった煩わしさなどが加わるので、継続して行うことがより困難であった。
【０００５】
そこで、本発明は、効果的なダイエットを継続して行うことができるダイエット支援システムを提供することを目的とする。
【課題を解決するための手段】
【０００６】
前記した目的を達成するため、本発明のダイエット支援システムは、血液中または間質液中のグルコース濃度を継続的に測定可能なセンサと、前記センサと通信可能な携帯端末とを備えるダイエット支援システムであって、前記携帯端末は、前記センサから所定のタイミングで前記グルコース濃度を取得するデータ取得手段と、前記グルコース濃度の積算値を算出する積算手段と、前記積算値が所定のしきい値を超えた場合に、糖質の摂取を抑えるべき旨の警告を報知する報知手段とを有することを特徴とする。
【０００７】
このような構成によれば、センサから取得したグルコース濃度の積算値がしきい値を超えた場合に、糖質の摂取を抑えるべき旨の警告を報知するので、警告に従って糖質の摂取を抑えることで、体脂肪の分解を促すことができ、効果的なダイエットを行うことができる。また、例えば、食事などに含まれる糖質の量をいちいち計算するといった煩わしさがないので、ダイエットに伴うストレスを低減でき、効果的なダイエットを継続して行うことができる。
【０００８】
前記したダイエット支援システムにおいて、前記携帯端末は、前記積算値を、１日のうちの所定の時刻にリセットするリセット手段を有する構成とすることができる。
【０００９】
これによれば、糖質の摂取量を１日単位でコントロールできるので、ダイエットをより効果的に行うことができる。
【００１０】
前記したダイエット支援システムにおいて、前記積算手段は、前記センサから取得したグルコース濃度Ｃから、所定の値Ｃ１を引いた値Ｃ−Ｃ１を積算していく構成とすることができる。
【００１１】
これによれば、最低限必要な糖質の量は確保することができるので、過剰なダイエットが行われるのを抑制することができる。
【００１２】
前記したダイエット支援システムにおいて、前記積算手段は、グルコース濃度Ｃの履歴に基づいて前記所定の値Ｃ１を決定する構成とすることができる。
【００１３】
これによれば、必要な糖質の量を個人ごとに決定することができ、当該個人に必要な量を超える分について糖質の摂取量をコントロールできるので、過剰なダイエットが行われるのを抑制しつつも効果的なダイエットを行うことができる。
【００１４】
前記したダイエット支援システムにおいて、前記積算手段は、前記グルコース濃度Ｃの変化勾配が所定勾配以下の期間の当該グルコース濃度Ｃの平均値に基づいて前記所定の値Ｃ１を決定する構成とすることができる。
【００１５】
これによれば、食事をとるなどしてグルコース濃度が大きく上昇する前のベースとなるグルコース濃度に基づいて所定の値Ｃ１を決定できるので、必要な糖質の量に対応する所定の値Ｃ１を精度良く決めることができる。
【００１６】
前記したダイエット支援システムにおいて、前記報知手段は、前記グルコース濃度が上昇中である場合には、前記しきい値を減少させるように補正し、または、前記積算値を増加させるように補正する構成とすることができる。
例えば、前記したダイエット支援システムにおいて、前記報知手段は、前記グルコース濃度が所定の勾配以上で上昇中である場合には、前記しきい値を減少させるように補正し、または、前記積算値を増加させるように補正する構成とすることができる。
【００１７】
これによれば、食事をとるなどしてグルコース濃度が上昇中である場合に、グルコース濃度の積算値がしきい値を超えやすくなるので、糖質の摂取を抑えるべき旨の警告を早めに報知することができる。これにより、糖質の摂取を抑えるべき旨の警告を、糖質の摂取中に報知することが可能となる。その結果、糖質の摂取を早めに切り上げるなどの早めの対応を促すことができるので、糖質の過剰な摂取を抑制することができ、効果的なダイエットに繋げることができる。
【００１８】
前記したダイエット支援システムにおいて、前記報知手段は、前記警告を報知した後、所定時間経過後に前記警告を再度報知する構成とすることができる。
また、前記したダイエット支援システムにおいて、前記報知手段は、前記警告を報知した後、前記積算値が、前記しきい値よりも大きな第２のしきい値を超えた場合に、前記警告を再度報知する構成とすることができる。
【００１９】
これによれば、糖質の摂取を抑えるべき旨の警告をより確実に知らせることができる。
【００２０】
前記したダイエット支援システムにおいて、前記警告は、次回の食事において糖質制限用の代替食品を摂取するべきことを含む構成とすることができる。
【００２１】
これによれば、糖質制限用の代替食品の摂取を適切なタイミングで促すことができるので、ダイエットを効果的に行うことができる。
【００２２】
前記したダイエット支援システムは、音声を発生可能なロボットをさらに備え、前記報知手段は、前記ロボットに音声によって前記警告を報知させる構成とすることができる。
【００２３】
これによれば、糖質の摂取を抑えるべき旨の警告に気づきやすくなる。また、ロボットが話しかけるように音声によって警告の内容を知らせることで、やる気を維持させ、ダイエットを継続して行うことができる。
【発明の効果】
【００２４】
本発明によれば、効果的なダイエットを継続して行うことができる。
【図面の簡単な説明】
【００２５】
【図１】一実施形態に係るダイエット支援システムの概念図である。
【図２】ダイエット支援システムの構成図である。
【図３】１日の血糖値の変化を示す図である。
【図４】ダイエット支援システムにおける携帯端末の動作の一例を示すフローチャートである。
【図５】所定の値を決定する処理の一例を示すフローチャートである。
【図６】所定のしきい値を補正する処理の一例を示すフローチャートである。
【図７】ダイエット支援システムの作用効果を説明する図である。
【発明を実施するための形態】
【００２６】
次に、発明の一実施形態について説明する。
図１に示すように、ダイエット支援システム１は、ダイエットを行う人（ダイエッターＨ）、詳しくは、糖質の摂取量をコントロールするダイエット（糖質制限ダイエット）を行う人を支援するシステムである。ダイエット支援システム１は、センサ２と、携帯端末３と、ロボット４とを備えて構成されている。
【００２７】
センサ２は、血液中または間質液中のグルコース濃度（以下、本明細書において「血糖値」ということもある。）を継続的に測定可能なセンサである。詳しくは、センサ２は、ダイエッターＨの腕などの体の一部に装着可能であり、ダイエッターＨの体の一部に装着されたときに図示しない検出部が角質層の下に入り込んで血糖値を継続的に測定可能に構成されている。センサ２は、インターネットやＢＬＵＥＴＯＯＴＨ（登録商標）などを利用した無線通信により、測定結果を携帯端末３へ送信するように構成されている。このようなセンサ２としては、例えば、米国特許第９００８７４５号明細書や米国特許第９１８２３６８号明細書に開示されているようなマイクロセンサを用いることができる。
【００２８】
携帯端末３は、ダイエッターＨが利用する携帯可能なコンピュータである。携帯端末３の種類は特に問わないが、具体的には、例えば、スマートフォン、タブレット端末、ウェアラブルコンピュータなどである。携帯端末３は、無線通信により、センサ２およびロボット４と通信可能な構成である。携帯端末３は、ダイエット支援システム１専用のアプリケーションを記憶している。
【００２９】
図２に示すように、携帯端末３は、データ取得手段３１と、積算手段３２と、報知手段３３と、リセット手段３４と、携帯端末３の画面を構成する表示部３５と、記憶部３９とを有している。詳しくは、携帯端末３は、記憶部３９に記憶されたダイエット支援システム１専用のアプリケーションを起動させることで、データ取得手段３１、積算手段３２、報知手段３３およびリセット手段３４として機能する。
【００３０】
データ取得手段３１は、センサ２から所定のタイミングでセンサ２が測定したグルコース濃度を取得する機能を有している。所定のタイミングは、例えば、５分ごとなどのような、数十秒から十数分ごとのタイミングである。グルコース濃度を取得するタイミングは、予め設定されたタイミングであってもよいし、ダイエッターＨが携帯端末３を操作して自由に設定できるようにしてもよい。なお、グルコース濃度は、計算上、「ｍｇ／ｄＬ」などのような単位である必要はなく、例えば、センサ２が測定した電荷などを数値化したものであってもよい。
【００３１】
積算手段３２は、データ取得手段３１がセンサ２から取得したグルコース濃度の積算値を算出する機能を有している。詳しくは、積算手段３２は、センサ２から取得したグルコース濃度Ｃから、所定の値Ｃ１を引いた値Ｃ−Ｃ１を積算していくことで積算値∫Ｃを算出する。
【００３２】
ここで、図３は、１日の血糖値の変化を示した図である。積算値∫Ｃは、測定されたグルコース濃度Ｃと所定の値Ｃ１との間の面積に相当する。また、所定の値Ｃ１は、食事をとるなどして血糖値が大きく上昇する前の、いわばベースとなる血糖値に相当する。さらに言えば、所定の値Ｃ１は、最低限必要な血糖値に相当する。
【００３３】
積算手段３２は、所定の値Ｃ１を、データ取得手段３１がセンサ２からこれまでに取得したグルコース濃度Ｃの履歴に基づいて決定する。詳しくは、積算手段３２は、グルコース濃度Ｃの変化勾配が所定勾配以下の期間の当該グルコース濃度Ｃの平均値に基づいて所定の値Ｃ１を決定する。
【００３４】
一例として、積算手段３２は、センサ２から取得したグルコース濃度（今回値）Ｃｎから前回値Ｃｎ−１を引いた値の絶対値が、予め設定された第１勾配判定しきい値ΔＣｔｈ１以下である場合、当該グルコース濃度（今回値）Ｃｎを記憶部３９に記憶させ、これまでに記憶させたグルコース濃度Ｃの平均値を所定の値Ｃ１に決定し、積算値∫Ｃの算出に用いる。
【００３５】
報知手段３３は、積算手段３２が算出したグルコース濃度の積算値∫Ｃが所定のしきい値∫Ｃｔｈを超えた場合に、糖質の摂取を抑えるべき旨の警告を報知する機能を有している。
【００３６】
詳しくは、報知手段３３は、積算値∫Ｃがしきい値∫Ｃｔｈを超えた場合、表示部３５に糖質の摂取を抑えるべき旨の警告を表示させる。この警告は、次回の食事において糖質制限用の代替食品５（図１参照）を摂取するべきことを含んでいる。一例として、報知手段３３は、積算値∫Ｃがしきい値∫Ｃｔｈを超えた場合、表示部３５に、「Ｗａｒｎｉｎｇ！  先ほどの食事で本日の糖質基準値を超えました。次回以降の食事を○○（糖質制限用の代替食品５の商品名など）に置き換えてください」などといったメッセージを表示させる。
【００３７】
また、報知手段３３は、積算値∫Ｃがしきい値∫Ｃｔｈを超えた場合、ロボット４に糖質の摂取を抑えるべき旨の警告を報知させるため、ロボット４に信号を送信する。
【００３８】
しきい値∫Ｃｔｈは、１日に摂取してもよい糖質の量に対応する。積算値∫Ｃがしきい値∫Ｃｔｈを超えるとは、図３に示したグルコース濃度Ｃと所定の値Ｃ１との間の面積が、基準となる面積（１日に摂取してもよい糖質の量）を超えることを意味する。
【００３９】
本実施形態において、報知手段３３は、グルコース濃度が上昇中である場合には、しきい値∫Ｃｔｈを減少させるように補正する。詳しくは、報知手段３３は、グルコース濃度が所定の勾配以上で上昇中である場合には、しきい値∫Ｃｔｈを減少させるように補正する。
【００４０】
一例として、積算手段３２は、センサ２から取得したグルコース濃度（今回値）Ｃｎから前回値Ｃｎ−１を引いた値が、予め設定された第２勾配判定しきい値ΔＣｔｈ２以上である場合、しきい値の初期値∫Ｃｔｈ０に、例えば、０．９５などの１未満の所定の係数Ｃ２を掛けて減少させるように補正した値をしきい値∫Ｃｔｈとする。第２勾配判定しきい値ΔＣｔｈ２は、第１勾配判定しきい値ΔＣｔｈ１よりも大きい値に設定されている。
【００４１】
なお、積算手段３２は、グルコース濃度の今回値Ｃｎから前回値Ｃｎ−１を引いた値が、第２勾配判定しきい値ΔＣｔｈ２未満である場合、つまり、グルコース濃度が上昇中でない場合には、しきい値の初期値∫Ｃｔｈ０をしきい値∫Ｃｔｈとする。
【００４２】
しきい値∫Ｃｔｈ（詳しくは、しきい値の初期値∫Ｃｔｈ０）は、予め設定された一の値であってもよいし、予め設定された複数の値からダイエッターＨが携帯端末３を操作して自由に選択できるようにしてもよい。また、しきい値∫Ｃｔｈ（しきい値の初期値∫Ｃｔｈ０）は、ダイエッターＨが自由に設定できるようにしてもよい。
【００４３】
また、本実施形態において、報知手段３３は、グルコース濃度の積算値∫Ｃがしきい値∫Ｃｔｈを超えて警告を報知した後、所定時間経過後に警告を再度報知する。具体的には、報知手段３３は、警告を報知して所定時間経過後に、表示部３５に警告を再度表示させるとともに、ロボット４に警告を報知させるための信号を再度送信する。所定時間は、例えば、１０分などのような、数分から数時間である。所定時間は、予め設定された時間であってもよいし、ダイエッターＨが自由に設定できるようにしてもよい。
【００４４】
なお、本実施形態において、報知手段３３は、警告が繰り返されることによってダイエッターＨが煩わしさを感じるのを防ぐため、警告を再度報知した後は、後述するリセット手段３４によって積算値∫Ｃがリセットされ、その後に積算値∫Ｃがしきい値∫Ｃｔｈを超えるまで、警告を報知しないように構成されている。
【００４５】
リセット手段３４は、積算値∫Ｃを、１日のうちの所定の時刻にリセットしてゼロとする機能を有している。所定の時刻は、例えば、ダイエッターＨが就寝している時間帯など、グルコース濃度が大きく変化しない時間帯の時刻であることが望ましい。一例として、所定の時刻は、午前０〜６時の間のいずれかの時刻である。所定の時刻は、予め設定された時刻であってもよいし、ダイエッターＨがその生活サイクルに合わせて自由に設定できるようにしてもよい。
【００４６】
記憶部３９は、ダイエット支援システム１専用のアプリケーションや、グルコース濃度Ｃ、所定の値Ｃ１、グルコース濃度の積算値∫Ｃ、各種のしきい値などを記憶する装置である。
【００４７】
ロボット４は、ダイエッターＨの身近な場所に設置されているロボットである。ロボット４は、ダイエッターＨが愛着を持てるような、例えば、人型や動物型の形状を有していることが望ましい。ロボット４は、少なくとも音声を発生可能な構成である。なお、ロボット４は、会話したり、動いたりできるように構成されていてもよい。
【００４８】
ロボット４は、携帯端末３の報知手段３３から送信された、ロボット４に警告を報知させるための信号を受信すると、音声によって警告を報知するように構成されている。一例として、ロボット４は、「先ほどの食事で本日の糖質基準値を超えました。次回以降の食事を○○に置き換えてください」などといった音声によってダイエッターＨに警告を報知する。
【００４９】
次に、ダイエット支援システム１における携帯端末３の動作の一例について説明する。携帯端末３は、図４に示すフローチャートの処理を繰り返し実行している。ここで、Ｆａは、警告の履歴を示すフラグであり、初期値が０であり、最初の警告を報知したときに１となり、再度の警告を報知したときに２となる。
【００５０】
図４に示すように、携帯端末３は、積算値∫Ｃをリセットすべき所定の時刻であるか否かを判定し（Ｓ１１）、所定の時刻でない場合（Ｓ１１，Ｎｏ）、グルコース濃度Ｃを取得すべき所定のタイミングであるか否かを判定する（Ｓ２１）。所定のタイミングでない場合（Ｓ２１，Ｎｏ）、携帯端末３は、今回の処理を終了する。一方、所定のタイミングである場合（Ｓ２１，Ｙｅｓ）、携帯端末３は、センサ２からグルコース濃度Ｃを取得する（Ｓ２２）。
【００５１】
そして、携帯端末３は、積算値∫Ｃを算出するのに用いる所定の値Ｃ１を決定する（Ｓ３１）。具体的には、図５に示すように、携帯端末３は、取得したグルコース濃度の今回値Ｃｎから前回値Ｃｎ−１を引いた値の絶対値が第１勾配判定しきい値ΔＣｔｈ１以下であるか否かを判定する（Ｓ３１１）。そして、第１勾配判定しきい値ΔＣｔｈ１以下である場合（Ｓ３１１，Ｙｅｓ）、携帯端末３は、今回値Ｃｎを記憶するとともに（Ｓ３１２）、これまでに記憶したグルコース濃度Ｃの平均値を算出して今回の所定の値Ｃ１を決定する（Ｓ３１３）。また、第１勾配判定しきい値ΔＣｔｈ１以下でない場合（Ｓ３１１，Ｎｏ）、携帯端末３は、図５に示す処理を終了する。そして、この場合、携帯端末３は、図４に示すステップＳ３１の後の処理において、前回と同じ所定の値Ｃ１を用いる。
【００５２】
ステップＳ３１の後、携帯端末３は、グルコース濃度Ｃから所定の値Ｃ１を引いた値を積算していくことで積算値∫Ｃを算出する（Ｓ３２）。詳しくは、携帯端末３は、ステップＳ２２で取得したグルコース濃度Ｃから、ステップＳ３１で決定した所定の値Ｃ１を引いた値を、積算値∫Ｃの前回値に加算することで、積算値∫Ｃの今回値を算出する。
【００５３】
また、携帯端末３は、しきい値∫Ｃｔｈを補正する（Ｓ４１）。具体的には、図６に示すように、携帯端末３は、グルコース濃度の今回値Ｃｎから前回値Ｃｎ−１を引いた値が第２勾配判定しきい値ΔＣｔｈ２以上であるか否かを判定する（Ｓ４１１）。そして、第２勾配判定しきい値ΔＣｔｈ２以上でグルコース濃度が上昇中である場合（Ｓ４１１，Ｙｅｓ）、携帯端末３は、しきい値の初期値∫Ｃｔｈ０に１未満の所定の係数Ｃ２を掛けて減少させるように補正した値をしきい値∫Ｃｔｈとする（Ｓ４１２）。また、第２勾配判定しきい値ΔＣｔｈ２以上でなくグルコース濃度が上昇中でない場合（Ｓ４１１，Ｎｏ）、携帯端末３は、しきい値の初期値∫Ｃｔｈ０をしきい値∫Ｃｔｈとする（Ｓ４１３）。
【００５４】
ステップＳ４１の後、携帯端末３は、積算値∫Ｃがしきい値∫Ｃｔｈを超えた否かを判定する（Ｓ４２）。そして、積算値∫Ｃがしきい値∫Ｃｔｈを超えていない場合（Ｓ４２，Ｎｏ）、携帯端末３は、今回の処理を終了する。一方、積算値∫Ｃがしきい値∫Ｃｔｈを超えた場合（Ｓ４２，Ｙｅｓ）、携帯端末３は、警告の履歴を示すフラグＦａが２であるか否かを判定する（Ｓ４３）。そして、フラグＦａが２でない場合（Ｓ４３，Ｎｏ）、携帯端末３は、フラグＦａが１であるか否かを判定する（Ｓ４４）。
【００５５】
フラグＦａが１でない場合（Ｓ４４，Ｎｏ）、携帯端末３は、糖質の摂取を抑えるべき旨の警告を報知する（Ｓ４５）。具体的には、表示部３５に警告のメッセージを表示するとともに、ロボット４に音声によって警告を報知させる。また、携帯端末３は、フラグＦａを０から１に変更して（Ｓ４６）、今回の処理を終了する。
【００５６】
ステップＳ４４において、フラグＦａが１である場合（Ｓ４４，Ｙｅｓ）、すでに最初の警告を報知しているので、携帯端末３は、警告を報知してから、具体的には、フラグＦａを０から１に変更してから、所定時間が経過したか否かを判定する（Ｓ５１）。所定時間が経過していない場合（Ｓ５１，Ｎｏ）、携帯端末３は、警告を報知することなく、今回の処理を終了する。一方、所定時間が経過した場合（Ｓ５１，Ｙｅｓ）、携帯端末３は、糖質の摂取を抑えるべき旨の警告を再度報知する（Ｓ５２）。また、携帯端末３は、フラグＦａを１から２に変更して（Ｓ５３）、今回の処理を終了する。
【００５７】
ステップＳ４３において、フラグＦａが２である場合（Ｓ４３，Ｙｅｓ）、再度の警告も報知しているので、携帯端末３は、ダイエッターＨが煩わしさを感じるのを防ぐため、警告を報知することなく、今回の処理を終了する。
また、ステップＳ１１において、所定の時刻になった場合（Ｓ１１，Ｙｅｓ）、携帯端末３は、積算値∫Ｃをリセットするとともに（Ｓ１２）、フラグＦａを０（初期値）として（Ｓ１３）、今回の処理を終了する。
【００５８】
以上説明した本実施形態のダイエット支援システム１によれば、図７に示すように、例えば、昼食時においてダイエッターＨが糖質を摂取して血糖値が大きく上昇し、時刻ｔ１においてセンサ２から取得したグルコース濃度の積算値∫Ｃがしきい値∫Ｃｔｈを超えた場合、糖質の摂取を抑えるべき旨の警告を報知するので、その後、ダイエッターＨが警告に従って糖質の摂取を抑えることで、全体として糖質の摂取量を抑えることができる。これにより、糖質の過剰な摂取を抑制できるので、体脂肪の分解を促すことができ、効果的なダイエットを行うことができる。
【００５９】
また、本実施形態のダイエット支援システム１によれば、警告に従って糖質の摂取を抑えるだけでよいので、例えば、ダイエッターＨ自身が食事などに含まれる糖質の量をいちいち計算するといった煩わしさがなく、ダイエットに伴うストレスを低減することができる。これにより、効果的なダイエットを継続して行うことができる。
【００６０】
また、本実施形態のダイエット支援システム１においては、携帯端末３が積算値∫Ｃを１日のうちの所定の時刻（例えば、図７の時刻ｔ０）にリセットするリセット手段３４を有するので、糖質の摂取量を１日単位でコントロールすることができる。これにより、ダイエットをより効果的に行うことができる。
【００６１】
また、本実施形態のダイエット支援システム１においては、積算手段３２がセンサ２から取得したグルコース濃度Ｃから所定の値Ｃ１を引いた値を積算していくので、最低限必要な糖質の量は確保することができる。これにより、過剰なダイエットが行われるのを抑制することができる。
【００６２】
また、積算手段３２は、グルコース濃度Ｃの履歴に基づいて所定の値Ｃ１を決定するので、必要な糖質の量をダイエッターＨごとに決定することができ、当該ダイエッターＨに必要な量を超える分について糖質の摂取量をコントロールすることができる。これにより、過剰なダイエットが行われるのを抑制しつつも、効果的なダイエットを行うことができる。
【００６３】
また、積算手段３２は、グルコース濃度Ｃの変化勾配が所定勾配以下の期間のグルコース濃度Ｃの平均値に基づいて所定の値Ｃ１を決定するので、食事をとるなどしてグルコース濃度が大きく上昇する前のベースとなるグルコース濃度に基づいて所定の値Ｃ１を決定することができる。これにより、必要な糖質の量に対応する所定の値Ｃ１を精度良く決めることができる。
【００６４】
また、本実施形態のダイエット支援システム１においては、報知手段３３が、グルコース濃度が上昇中である場合にはしきい値∫Ｃｔｈを減少させるように補正するので、食事をとるなどしてグルコース濃度が上昇中である場合に、グルコース濃度の積算値∫Ｃがしきい値∫Ｃｔｈを超えやすくなる。これにより、糖質の摂取を抑えるべき旨の警告を早めに報知することができる。さらに言えば、糖質の摂取を抑えるべき旨の警告を、糖質の摂取中、例えば、食事が終わる前などに報知することが可能となる。その結果、食事を早めに切り上げるなど、ダイエッターＨに早めの対応を促すことができるので、糖質の過剰な摂取を抑制することができ、効果的なダイエットに繋げることができる。
【００６５】
また、報知手段３３は、警告を報知した後、所定時間経過後に警告を再度報知するので、糖質の摂取を抑えるべき旨の警告をダイエッターＨにより確実に知らせることができる。
【００６６】
また、報知手段３３が報知する警告には、次回の食事において糖質制限用の代替食品５を摂取するべきことが含まれるので、代替食品５の摂取を適切なタイミングで促すことができる。これにより、ダイエットを効果的に行うことができる。
【００６７】
また、報知手段３３は、ロボット４に音声によって警告を報知させるので、糖質の摂取を抑えるべき旨の警告にダイエッターＨが気づきやすくなる。また、ロボット４が話しかけるように音声によって警告の内容を知らせることで、ダイエッターＨのやる気を維持させ、ダイエットを継続して行うことができる。
【００６８】
以上に発明の一実施形態について説明したが、本発明は前記実施形態に限定されるものではない。具体的な構成については、下記のように発明の趣旨を逸脱しない範囲で適宜変更が可能である。
【００６９】
例えば、前記実施形態では、報知手段３３は、警告を報知した後、所定時間経過後に警告を再度報知するように構成されていたが、これに限定されない。例えば、報知手段３３は、警告を報知した後、積算値∫Ｃが、しきい値∫Ｃｔｈよりも大きな第２のしきい値∫Ｃｔｈを超えた場合に、警告を再度報知するように構成されていてもよい。
【００７０】
具体的には、図４に示したフローチャートにおいて、ステップＳ５１の代わりに、積算値∫Ｃが第２のしきい値∫Ｃｔｈ２を超えたか否かを判定するステップを設け、積算値∫Ｃが第２のしきい値∫Ｃｔｈ２を超えていない場合には、再度の警告を報知せず、積算値∫Ｃが第２のしきい値∫Ｃｔｈ２を超えた場合には、再度の警告を報知するように構成してもよい。このような構成によっても、糖質の摂取を抑えるべき旨の警告をダイエッターＨにより確実に知らせることができる。
【００７１】
また、前記実施形態では、報知手段３３は、グルコース濃度が上昇中である場合には、しきい値∫Ｃｔｈを減少させるように補正する構成であったが、これに限定されない。例えば、報知手段３３は、グルコース濃度が上昇中である場合には、しきい値∫Ｃｔｈを減少させるのではなく、積算値∫Ｃを増加させるように補正する構成としてもよい。
【００７２】
具体的には、報知手段３３は、グルコース濃度が所定の勾配以上で上昇中である場合、一例として、Ｃｎ−Ｃｎ−１≧ΔＣｔｈ２の場合には、積算値∫Ｃに１．０５などの１よりも大きい所定の係数Ｃ３を掛けて積算値∫Ｃを増加させるように補正する構成としてもよい。このような構成によっても、グルコース濃度が上昇中である場合に、積算値∫Ｃがしきい値∫Ｃｔｈを超えやすくなるので、警告を早めに報知することができる。
【００７３】
なお、しきい値∫Ｃｔｈを減少させたり、積算値∫Ｃを増加させたりする方法は、前述したような係数Ｃ２，Ｃ３を掛ける方法に限定されず、例えば、しきい値∫Ｃｔｈから第１の値を引いて減少させたり、積算値∫Ｃに第２の値を足して増加させたりしてもよい。
【００７４】
また、報知手段３３は、図４に示したフローチャートのステップＳ４１の処理を行わない構成としてもよい。つまり、報知手段３３は、しきい値∫Ｃｔｈや積算値∫Ｃを補正しない（グルコース濃度に応じて変えない）構成としてもよい。
【００７５】
また、前記実施形態では、報知手段３３は、積算値∫Ｃがしきい値∫Ｃｔｈを超えた場合、携帯端末３の表示部３５に警告を表示させるとともに、ロボット４に警告を報知させるように構成されていたが、これに限定されない。例えば、ダイエット支援システム１がロボット４を備える場合、報知手段３３は、ロボット４にのみ警告を報知させ、携帯端末３では警告を報知しない構成としてもよい。
【００７６】
また、報知手段３３は、携帯端末３の表示部３５に警告のメッセージを表示させるのではなく、例えば、携帯端末３のスピーカに警告音や音声などを出力させたり、携帯端末３のバイブレーション機能によって携帯端末３を振動させたりして、警告を報知するように構成されていてもよい。また、報知手段３３は、メッセージの表示、音の発生、振動などを２つ以上組み合わせた警告を携帯端末３に報知させるように構成されていてもよい。
【００７７】
また、前記実施形態では、積算手段３２は、所定の値Ｃ１を決定する際に、これまでに記憶させたグルコース濃度Ｃに基づいて所定の値Ｃ１に決定するように構成されていたが、これに限定されない。例えば、積算手段３２は、これまでに記憶させたグルコース濃度Ｃのうち、現在に近い所定数のグルコース濃度Ｃに基づいて所定の値Ｃ１に決定するように構成されていてもよい。これによれば、ダイエッターＨの最近の体質などに応じた所定の値Ｃ１を得ることができる。
【００７８】
また、前記実施形態では、積算手段３２がグルコース濃度Ｃの履歴に基づいて所定の値Ｃ１を決定するように構成されていたが、これに限定されない。例えば、所定の値Ｃ１は、予め設定された固定値であってもよい。また、所定の値Ｃ１は、ダイエッターＨが携帯端末３に入力した年齢や体重などの情報から算出される値などであってもよい。
【００７９】
また、積算手段３２は、図４に示したフローチャートのステップＳ３１の処理を行わない構成としてもよい。つまり、積算手段３２は、所定の値Ｃ１を引くことなく、センサ２から取得したグルコース濃度Ｃをそのまま積算していくことで積算値を算出する構成であってもよい。
【００８０】
また、前記実施形態では、リセット手段３４は、積算値∫Ｃを、１日のうちの所定の時刻にリセットするように構成されていたが、これに限定されない。例えば、リセット手段３４は、１日単位ではなく、１日よりも長い時間、例えば、１週間ごとに、積算値∫Ｃをリセットするように構成されていてもよい。また、リセット手段３４は、１日よりも短い時間、例えば、８時間ごとに、積算値∫Ｃをリセットするように構成されていてもよい。
【００８１】
また、前記実施形態では、ダイエット支援システム１が、センサ２、携帯端末３およびロボット４を備えて構成されていたが、これに限定されない。例えば、ダイエット支援システム１は、携帯端末３との間で、例えば、ダイエッターＨ（ユーザ）に関する情報を送受信可能なサーバをさらに備える構成であってもよい。サーバは、例えば、ダイエット支援システム１を提供する会社が管理する装置であり、携帯端末３から送信される１日の積算値などのユーザに関する情報を受信してデータを分析し、ユーザに適したダイエットに関する情報やアドバイスなどを携帯端末３やロボット４に送信するように構成することができる。
【００８２】
また、前記実施形態では、ダイエット支援システム１が、センサ２と携帯端末３のほかに、ロボット４をさらに備えて構成されていたが、これに限定されず、ロボットを備えない構成であってもよい。
【００８３】
また、本発明は、前記した実施形態および変形例で説明した各要素を、任意に組み合わせて実施してもよい。
【符号の説明】
【００８４】
１      ダイエット支援システム
２      センサ
３      携帯端末
４      ロボット
３１    データ取得手段
３２    積算手段
３３    報知手段
３４    リセット手段
【図１】
2018190250.tif 000003
【図２】
2018190250.tif 000004
【図３】
2018190250.tif 000005
【図４】
2018190250.tif 000006
【図５】
2018190250.tif 000007
【図６】
2018190250.tif 000008
【図７】
2018190250.tif 000009